(57)【要約】【課題】動画撮像方法、装置、電子機器、およびコンピューター読取可能な記憶媒体を提供すること。【解決手段】オリジナル動画の動画再生インターフェイスを介して、ユーザー動画撮像トリガー操作を受け取ることと、動画撮像トリガー操作に応じて、動画撮像ウィンドウを動画再生インターフェイスに重ねて表示することと、動画再生インターフェースを介してユーザー動画撮像操作を受け取ることと、動画撮像操作に応じて、ユーザー動画を撮像し、動画撮像ウィンドウを介してユーザー動画を表示することと、を含む。本発明の実施形態によれば、ユーザは、動画再生インターフェース上でユーザ動画撮像に関連する操作を実行するだけで、マージ動画の機能を取得して、操作プロセスを簡単かつ迅速にする。ユーザー動画はオリジナル動画に対するユーザーの感想、評論、または視聴反応を反映できるため、ユーザーがオリジナル動画に対する意見や反応を簡単に表示でき、ユユーザーのインタラクティブな体験を高める。【選択図】図１
2021520764.tif 000002
【特許請求の範囲】
【請求項１】
動画撮像方法において、
オリジナル動画の動画再生インターフェイスを介して、ユーザー動画撮像トリガー操作を受け取ることと、
前記動画撮像トリガー操作に応じて、動画撮像ウィンドウを前記動画再生インターフェイスに重ねて表示することと、
前記動画再生インターフェースを介して前記ユーザー動画撮像操作を受け取ることと、
前記動画撮像操作に応じて、ユーザー動画を撮像し、前記動画撮像ウィンドウを介して前記ユーザー動画を表示することと、を含む
ことを特徴とする動画撮像方法。
【請求項２】
前記動画撮像ウィンドウに対する前記ユーザーによるウィンドウ移動操作を受け取ることと、
前記ウィンドウ移動操作に応じて前記動画撮像ウィンドウを前記動画再生インターフェイスの上の対応する領域に調整することと、を含む
請求項１記載の動画撮像方法。
【請求項３】
前記動画撮像インターフェースを前記動画再生インターフェースの上の対応する領域に調整することは、
前記ウィンドウ移動操作に応じて、前記動画再生インターフェースに、予め配置され前記動画撮像ウィンドウの表示領域を制限するために使用されたウィンドウ調整境界線を表示することと、
前記ウィンドウ移動操作と前記ウィンドウ調整境界線に基づき、前記動画撮像ウィンドウの現在の表示領域を決定することと、
前記現在の表示領域に応じて、前記動画撮像ウィンドウを前記動画再生インターフェイスの上の対応する位置に調整することと、を含む
請求項２記載の動画撮像方法。
【請求項４】
前記ウィンドウ移動操作と前記ウィンドウ調整境界線に基づき、前記動画撮像ウィンドウの現在の表示領域を決定することは、
前記ウィンドウ移動操作に基づき、前記動画撮像ウィンドウの第１の表示領域を決定することと、
前記第１の表示領域と前記任意の前記ウィンドウの調整境界線との間の距離が設定距離以上である場合、前記第１の表示領域が前記現在の表示領域であると判断することと、
前記第１の表示領域と前記任意の前記ウィンドウの調整境界線との間の距離が設定距離より小さい場合、第２の表示領域が前記現在の表示領域であると判断することと、を含み、
前記第２の表示領域は、前記第１の表示領域を前記ウィンドウ調整境界線に平行移動した後の領域であり、前記第２の表示領域の少なくとも１つの位置点は前記ウィンドウ調整境界線と重なり合う
請求項３記載の動画撮像方法。
【請求項５】
前記動画撮像操作に応じて、ユーザー動画を撮像し、前記動画撮像ウィンドウを介して前記ユーザー動画を表示することは、前記動画撮像操作に応じて、前記オリジナル動画が再生されている間にユーザー動画を撮像し、当該ユーザー動画を前記動画撮像ウィンドウを介して表示することを含む
請求項１ないし４のいずれかに記載の動画撮像方法。
【請求項６】
前記動画撮像ウィンドウに対する前記ユーザーのウィンドウサイズ調整操作を受け取ることと、
前記ウィンドウサイズ調整操作に応じて、前記動画撮像ウィンドウを対応する表示サイズに調整することと、を含む
請求項１ないし４のいずれかに記載の動画撮像方法。
【請求項７】
前記動画再生インターフェースを介して、添加待ち効果に対するユーザーによる効果添加操作を受け取ることと、
前記効果添加操作に応じて、前記添加待ち効果を前記ユーザー動画に添加することと、を含む
請求項１ないし４のいずれかに記載の動画撮像方法。
【請求項８】
前記動画撮像操作に応じてユーザ動画を撮像し、前記動画撮像ウィンドウを介して前記ユーザ動画を表示する前に、前記動画再生インターフェースを介して、高速記録モード、低速記録モード、および標準記録モードの少なくとも１つを含んでいるユーザー動画の記録モードに対する前記ユーザーの記録選択操作を受け取ることと、
前記記録選択操作に基づき、前記ユーザー動画の記録モードを決定することと、を含む
請求項１ないし４のいずれかに記載の動画撮像方法。
【請求項９】
前記ユーザー動画と前記オリジナル動画を合成させて、マージ動画を取得することを含む
請求項１ないし４のいずれかに記載の動画撮像方法。
【請求項１０】
前記動画再生インターフェイスを介して前記ユーザーの音量調整操作を受け取ることと、
前記音量調整操作に応じて、前記ユーザー動画の音声情報及び／又は前記オリジナル動画の音声情報の音量を相応的に調整することと、を含む
請求項９記載の動画撮像方法。
【請求項１１】
操作提示オプションが前記ユーザーに提供され、前記操作提示オプションが前記ユーザーの操作を受け取ったときに、マージ動画に対する撮像操作の提示情報を前記ユーザーに提供するために使用されることを含む
請求項１ないし４のいずれかに記載の動画撮像方法。
【請求項１２】
動画撮像装置において、
オリジナル動画の動画再生インターフェイスを介して、ユーザー動画撮像トリガー操作を受け取るためのトリガー操作受取モジュールと、
前記動画撮像トリガー操作に応じて、動画撮像ウィンドウが前記動画再生インターフェイスに重ねて表示されるための撮像ウィンドウ表示モジュールと、
前記動画再生インターフェースを介して前記ユーザー動画撮像操作を受け取るための撮像操作受取モジュールと、
前記動画撮像操作に応じて、ユーザー動画を撮像し、前記動画撮像ウィンドウを介して前記ユーザー動画を表示するためのユーザー動画撮像モジュールと、を備える
ことを特徴とする動画撮像装置。
【請求項１３】
電子機器において、
コンピューター操作指令を格納するメモリと、
前記コンピュータ操作指令を呼び出し、請求項１ないし１１のいずれかに記載された方法を実行するプロセッサと、を含む
ことを特徴とする電子機器。
【請求項１４】
コンピューター読取可能な記憶媒体において、
少なくとも１つのオペレーション、少なくとも１つのプログラム、コードセットまたはオペレーションセットを格納し、前記少なくとも１つのオペレーション、前記少なくとも１つのプログラム、前記コードセットまたはオペレーションセットがコンピューターによってロードされ実行されて、請求項１ないし１１のいずれかに記載された方法を実現する
ことを特徴とするコンピューター読取可能な記憶媒体。
【発明の詳細な説明】
【技術分野】
【０００１】
関連出願：この出願は、特許文献１の優先権を主張する。全部の目的のために、当該出願の全部の内容は、参照により本明細書に組み込まれる。
【０００２】
本発明は、インターネット  技術の分野に関し、具体的に、動画撮像方法、動画撮像装置、電子機器、およびコンピューター読取可能な記憶媒体に関する。
【背景技術】
【０００３】
動画対話型プラットフォームでは、ユーザーは動画でプラットフォーム内の他の動画に対する感想や視聴体験を発表して、動画とのインタラクションを実現できる。
【０００４】
従来、ユーザーが動画プラットフォームのある動画に基づいてインタラクティブ動画を撮ろうする場合、一般的に、まず動画プラットフォームのオリジナル動画をダウンロードして保存し、その後、ある専門の動画記録ツールでインタラクティブな動画記録を完成させ、完成したインタラクティブ動画を動画プラットフォームにアップロードする。インタラクティブ動画の撮像プロセス全体には、動画プラットフォームだけで完成することはできないため、ユーザーのインタラクティブな体験が低下する。
【０００５】
これにより、従来のインタラクティブな動画記録方法は複雑であり、ユーザーのインタラクティブな体験は悪いため、ユーザーの実際の応用要望を満たすことができないことがわかる。
【先行技術文献】
【特許文献】
【０００６】
【特許文献１】２０１８年１０月１９日出願、中国特許出願２０１８１１２２３７８８７
【発明の開示】
【０００７】
本発明の第１態様による動画撮像方法は、オリジナル動画の動画再生インターフェイスを介して、ユーザー動画撮像トリガー操作を受け取ることと、動画撮像トリガー操作に応じて、動画撮像ウィンドウを動画再生インターフェイスに重ねて表示することと、動画再生インターフェースを介してユーザー動画撮像操作を受け取ることと、動画撮像操作に応じて、ユーザー動画を撮像し、動画撮像ウィンドウを介してユーザー動画を表示することと、を含む。
【０００８】
本発明の第１形態では、上記の方法は、さらに、動画撮像ウィンドウに対するユーザーによるウィンドウ移動操作を受け取ることと、ウィンドウ移動操作に応じて動画撮像ウィンドウを動画再生インターフェイスの上の対応する領域に調整することと、を含む。
【０００９】
本発明の第１形態では、ウィンドウ移動操作に応じて動画撮像インターフェースを動画再生インターフェースの上の対応する領域に調整することは、ウィンドウ移動操作に応じて、動画再生インターフェースに、予め配置され動画撮像ウィンドウの表示領域を制限するために使用されたウィンドウ調整境界線を表示することと、ウィンドウ移動操作とウィンドウ調整境界線に基づき、動画撮像ウィンドウの現在の表示領域を決定することと、現在の表示領域に応じて、動画撮像ウィンドウを動画再生インターフェイスの上の対応する位置に調整することと、を含む。
【００１０】
本発明の第１形態では、ウィンドウ移動操作とウィンドウ調整境界線に基づき、動画撮像ウィンドウの現在の表示領域を決定することは、ウィンドウ移動操作に基づく、動画撮像ウィンドウの第１の表示領域を決定することと、第１の表示領域と任意のウィンドウの調整境界線との間の距離が設定距離以上である場合、第１の表示領域が現在の表示領域であると判断することと、第１の表示領域と任意のウィンドウの調整境界線との間の距離が設定距離より小さい場合、第２の表示領域が現在の表示領域であると判断することと、を含み、第２の表示領域は、第１の表示領域をウィンドウ調整境界線に平行移動した後の領域であり、第２の表示領域の少なくとも１つの位置点はウィンドウ調整境界線と重なり合う。
【００１１】
本発明の第１形態では、動画撮像操作に応じて、ユーザー動画を撮像し、動画撮像ウィンドウを介してユーザー動画を表示することは、動画撮像操作に応じて、オリジナル動画が再生されている間にユーザー動画を撮像し、当該ユーザー動画を動画撮像ウィンドウを介して表示することを含む。
【００１２】
本発明の第１形態では、上記の方法は、さらに、動画撮像ウィンドウに対するユーザーのウィンドウサイズ調整操作を受け取ることと、ウィンドウサイズ調整操作に応じて、動画撮像ウィンドウを対応する表示サイズに調整することと、を含む。
【００１３】
本発明の第１形態では、上記の方法は、さらに、動画再生インターフェースを介して、添加待ち効果に対するユーザーによる効果添加操作を受け取ることと、効果添加操作に応じて、添加待ち効果をユーザー動画に添加することと、を含む。
【００１４】
本発明の第１形態では、上記の方法は、さらに、動画撮像操作に応じてユーザ動画を撮像し、動画撮像ウィンドウを介してユーザ動画を表示する前に、動画再生インターフェースを介して、高速記録モード、低速記録モード、および標準記録モードの少なくとも１つを含んでいるユーザー動画の記録モードに対するユーザーの記録選択操作を受け取ることと、記録選択操作に基づき、ユーザー動画の記録モードを決定することと、を含む。
【００１５】
本発明の第１形態では、上記の方法は、さらに、ユーザー動画とオリジナル動画を合成させて、マージ動画を取得することを含む。
【００１６】
本発明の第１形態では、上記の方法は、さらに、動画再生インターフェイスを介してユーザーの音量調整操作を受け取ることと、音量調整操作に応じて、ユーザー動画の音声情報及び／又はオリジナル動画の音声情報の音量を相応的に調整することと、を含む。
【００１７】
本発明の第１形態では、上記の方法は、さらに、操作提示オプションがユーザーに提供され、操作提示オプションがユーザーの操作を受け取ったときに、マージ動画に対する撮像操作の提示情報をユーザーに提供するために使用されることを含む。
【００１８】
第２の態様では、本発明の動画撮像装置は、オリジナル動画の動画再生インターフェイスを介して、ユーザー動画撮像トリガー操作を受け取るためのトリガー操作受取モジュールと、動画撮像トリガー操作に応じて、動画撮像ウィンドウを動画再生インターフェイスに重ねて表示するための撮像ウィンドウ表示モジュールと、動画再生インターフェースを介してユーザー動画撮像操作を受け取るための撮像操作受取モジュールと、動画撮像操作に応じて、ユーザー動画を撮像し、動画撮像ウィンドウを介してユーザー動画を表示するためのユーザー動画撮像モジュールと、を備える。
【００１９】
本発明の第２形態では、上記の装置は、さらに、動画撮像ウィンドウに対するユーザーによるウィンドウ移動操作を受け取り、ウィンドウ移動操作に応じて動画撮像ウィンドウを動画再生インターフェイスの上の対応する領域に調整するウィンドウ位置調整モジュールを備える。
【００２０】
本発明の第２形態では、ウィンドウ位置調整モジュールは、ウィンドウ移動操作に応じて、動画再生インターフェースに、予め配置され動画撮像ウィンドウの表示領域を制限するために使用されたウィンドウ調整境界線を表示し、ウィンドウ移動操作とウィンドウ調整境界線に基づき、動画撮像ウィンドウの現在の表示領域を決定し、現在の表示領域に応じて、動画撮像インターフェイスを動画再生インターフェイスの上の対応する位置に調整するのように構成されてもよい。
【００２１】
本発明の第２形態では、ウィンドウ位置調整モジュールは、ウィンドウ移動操作に基づき、動画撮像ウィンドウの第１の表示領域を決定し、第１の表示領域と任意のウィンドウの調整境界線との間の距離が設定距離以上である場合、第１の表示領域が現在の表示領域であると判断し、第１の表示領域と任意のウィンドウの調整境界線との間の距離が設定距離より小さい場合、第２の表示領域が現在の表示領域であると判断し、当該第２の表示領域が、第１の表示領域をウィンドウ調整境界線に平行移動した後の領域であり、第２の表示領域の少なくとも１つの位置点はウィンドウ調整境界線と重なり合うように構成されてもよい。
【００２２】
本発明の第２形態では、ユーザ動画撮像モジュールは、動画撮像操作に応じて、オリジナル動画が再生されている間にユーザー動画を撮像し、当該ユーザー動画を動画撮像ウィンドウを介して表示するのように構成されてもよい。
【００２３】
本発明の第２形態では、上記の装置は、さらに、動画撮像ウィンドウに対するユーザーのウィンドウサイズ調整操作を受け取り、ウィンドウサイズ調整操作に応じて、動画撮像ウィンドウが対応する表示サイズに調整するためのウィンドウサイズ調整モジューを備える。
【００２４】
本発明の第２形態では、上記の装置は、さらに、動画再生インターフェースを介して、添加待ち効果に対するユーザーによる効果添加操作を受け取り、効果添加操作に応じて、添加待ち効果をユーザー動画に添加する効果添加モジュールを備える。
【００２５】
本発明の第２形態では、ユーザ動画撮像モジュールは、さらに、動画撮像操作に応じてユーザ動画を撮像し、動画撮像ウィンドウを介してユーザ動画を表示する前に、動画再生インターフェースを介して、高速記録モード、低速記録モード、および標準記録モードの少なくとも１つを含んでいるユーザー動画の記録モードに対するユーザーの記録選択操作を受け取り、記録選択操作に基づき、ユーザー動画の記録モードを決定するのように構成されてもよい。
【００２６】
本発明の第２形態では、上記の装置は、さらに、ユーザー動画とオリジナル動画を合成させて、マージ動画を取得するためのマージ動画生成モジュールを備える。
【００２７】
本発明の第２形態では、上記の装置は、さらに、動画再生インターフェイスを介してユーザーの音量調整操作を受け取り、音量調整操作に応じて、ユーザー動画の音声情報及び／又はオリジナル動画の音声情報の音量を相応的に調整するための音量調整モジュールを備える。
【００２８】
本発明の第２形態では、上記の装置は、さらに、操作提示オプションをユーザーに提供し、当該操作提示オプションがユーザーの操作を受け取ったときに、マージ動画に対する撮像操作の提示情報をユーザーに提供するための操作提示モジュールを備える。
【００２９】
第３の態様では、本発明は、コンピューターの操作指令を格納するメモリと、コンピュータ操作指令を呼び出し本発明の第１の態様の任意の技術案に示された方法を実行するプロセッサと、を含む電子機器を提供する。
【００３０】
第４の態様では、本発明は、少なくとも１つのオペレーション、少なくとも１つのプログラム、コードセットまたはオペレーションセットを格納し、少なくとも１つのオペレーション、少なくとも１つのプログラム、コードセットまたはオペレーションセットがコンピューターによってロードされ実行されて、本発明の第１の態様の任意の技術案に示された方法を実現する。
【００３１】
本発明の形態によれば、ユーザは、動画再生インターフェース上でユーザ動画撮像に関連する操作を実行するだけで、動画撮像ウィンドウを介してオリジナル動画を基礎にしてユーザ動画を記録することができ、操作プロセスを簡単かつ迅速にする。ユーザー動画はオリジナル動画に対するユーザーの感想、評論、または視聴反応を反映できるため、ユーザーがオリジナル動画に対する意見や反応を簡単に表示でき、ユーザーの実際の応用ニーズをよりよく対応でき、ユーザーのインタラクティブな体験を改善し、動画撮像の楽しさを高める。
【００３２】
本発明の実施形態における技術案をより明確に説明するために、本発明の実施形態の説明に使用される図面を以下のように説明する。
【図面の簡単な説明】
【００３３】
【図１】本発明の実施形態による動画撮像方法の模式フローチャートである。
【図２】、本発明の実施形態による動画再生インターフェースの模式図である。
【図３】本発明の実施形態による他の動画再生インターフェースの模式図である。
【図４】本発明の実施形態によるさらに他の動画再生インターフェースの模式図である。
【図５Ａ】本発明の実施形態による音量調整方法の模式図である。
【図５Ｂ】本発明の実施形態による他の音量調整方法の模式図である。
【図６Ａ】本発明の実施形態による他の動画再生インターフェースの模式図である。
【図６Ｂ】本発明の実施形態によるさらに他の動画再生インターフェースの模式図である。
【図７】本発明の実施形態による動画撮像装置の模式構造図である。
【図８】本発明の実施形態による電子機器の模式構造図である。
【発明を実施するための形態】
【００３４】
本発明の実施形態を以下のように詳細に説明し、実施形態の例を図面に示し、同一または類似の参照符号は、同一または類似の要素、または同一または類似の機能を有する要素を示す。図面を参照して以下のように説明した実施形態は例示であり、これは、本発明の技術の主旨を説明するために使用されるだけのものであり、本発明に対する限定として解釈されるべきではない。
【００３５】
当業者は、本明細書で使用される単数形「一」、「一つ」および「当該」が、特に明記しない限り複数形を含み得ることに理解されることである。本発明の明細書で使用される「含む」という用語は、特徴、整数、ステップ、操作、要素、及び／又はコンポーネントの存在を指すが、１つまたは複数の他の特徴、整数、ステップ、操作、要素、コンポーネント、及び／又はそれらのグループが存在または添加されることを除外しないことにさらに理解されるべきである。ある要素が他の要素に「接続」または「結合」されていることに記載される場合、他の要素に直接接続または結合でき、または介在要素も存在する場合があることも理解される。さらに、本明細書で使用される「接続」または「結合」は、無線接続または無線結合を含み得る。本明細書で使用される「および／または」は、関連しリストされたアイテムの１つまたは複数の要素のすべてまたはいずれか一つ、およびすべての組み合わせを含む。
【００３６】
以下、具体的な実施例により本発明の技術案、および本発明の技術案が上記の技術的問題をどのように解決するかを具体的に説明する。以下の具体的な実施例は互いに組み合わせることができ、いくつかの実施形態では同じまたは同様の概念またはプロセスを繰り返さない場合がある。以下、本発明の実施形態について図面を参照して説明する。
【００３７】
図１に示すように、本発明の一実施形態は動画撮像方法を提供する。
【００３８】
ステップＳ１１０において、オリジナル動画の動画再生インターフェイスを介して、ユーザーの動画撮像トリガー操作を受け取る。
【００３９】
動画撮像トリガー操作は、ユーザーが動画再生インターフェイスにおけるオリジナル動画に基づいてユーザー動画を撮像しようとすることを示す。つまり、ユーザーがユーザー動画撮像を開始するアクションをトリガーする。当該操作の具体的な形式は必要に応じて配置され、例えば、ユーザーがクライアントの応用のインターフェイス上の操作位置に対するトリガーアクションである。動画再生インターフェイスは、端末装置とユーザー間のインタラクションに使用され、このインターフェイスを介して、ユーザーはオリジナル動画の共有やマージ撮像など、オリジナル動画に関する関連操作を受け取ることができる。
【００４０】
実際の応用では、クライアントインターフェースの指定されたトリガーボタンや入力ボックス、またはユーザーの音声など、クライアントの関連トリガーマークによって操作をトリガーでき、当該トリガーマークは、具体的に、クライアントの応用インターフェースに表示された「マージ撮像」の仮想ボタンである場合があり、ユーザーがボタンをクリックする操作が、ユーザーの動画撮像トリガー操作である。実際の応用では、オリジナル動画は、マージ撮像されていない動画であってもよいし、マージ撮像された後に取得した動画であってもよい。
【００４１】
ステップＳ１２０では、動画撮像トリガー操作に応じて、動画撮像ウィンドウが動画再生インターフェイスに重ねて表示される。
【００４２】
実際の応用では、動画撮像ウィンドウを動画再生インターフェイスのプリセット位置に重ねて表示でき、当該プリセット位置は、動画再生インターフェイスの左上角など、ユーザーの端末装置のディスプレイインターフェイスのサイズに基づいて予め配置された表示位置である。動画撮像ウィンドウのサイズはオリジナル動画の表示ウィンドウよりも小さいため、動画撮像ウィンドウはオリジナル動画の内容の一部のみを遮る。動画撮像ウィンドウの初期サイズは、実際のニーズに応じて配置できる。オリジナル動画の再生時に、オリジナル動画画面のオクルージョンをできる限り減らすようにしてユーザーがオリジナル動画の視聴に影響を与えなく、ユーザー動画を撮像する時に、ユーザーが記録された画面の視聴サイズにできる限り影響を与えないように選択できる。例えば、端末装置に表示される動画撮像ウィンドウのサイズは、ユーザーの端末装置のディスプレイインターフェイスのサイズに応じて自動的に調整でき、例えば、動画撮像ウィンドウは、端末装置のディスプレイインターフェイスの十分の一または五分の一である。
【００４３】
ステップＳ１３０では、動画再生インターフェースを介してユーザー動画撮像操作を受け取る。
【００４４】
同様に、動画再生インターフェイスには、トリガーボタンや入力ボックス、またはユーザーの音声コマンドの指定など、動画撮像操作をトリガーするための関連トリガーマークが含まれる。具体的には、クライアントの応用インターフェイスに表示された「撮像」の仮想ボタンである場合があり、ユーザーがボタンをクリックする操作が、ユーザー動画撮像の操作である。動画撮像操作により、ユーザーの端末装置の撮像機能をトリガーして、ユーザー自身などのユーザーの撮像待ち内容を取得できる。
【００４５】
ステップＳ１４０では、動画撮像操作に応じて、ユーザー動画を撮像し、動画撮像ウィンドウを介してユーザー動画を表示させる。
【００４６】
ユーザー動画を撮像する場合、オリジナル動画の再生状態は限定されない。つまり、オリジナル動画は再生状態または特定の動画フレームの画像に一時停止された状態にある場合があり、具体的に、実際のニーズに応じて配置できる。
【００４７】
実際の応用では、オリジナル動画は、マージ撮像されていない動画であってもよいし、マージ撮像された後に取得したマージ動画であってもよい。
【００４８】
本発明の実施形態におけるユーザ動画は、ユーザを含む動画として選択可能であり、つまり、記録されたのはユーザの動画であることに留意されたい。もちろん、ユーザーが必要に応じて調整した後に記録した他のシーンの動画であってもよい。
【００４９】
本発明の実施形態によれば、ユーザは、動画再生インターフェース上でユーザ動画撮像に関連する操作を実行するだけで、動画撮像ウィンドウを介してオリジナル動画を基礎にしてユーザ動画を記録することができ、操作プロセスを簡単かつ迅速にする。ユーザー動画はオリジナル動画に対するユーザーの感想、評論、または視聴反応を反映できるため、ユーザーがオリジナル動画に対する意見や反応を簡単に表現でき、ユーザーの実際の応用ニーズをよりよく対応でき、ユーザーのインタラクティブな体験を改善し、動画撮像の楽しさを高める。
【００５０】
一例として、図２は、端末装置におけるクライアント応用のオリジナル動画の動画再生インターフェースの模式図を示しており、インターフェースに表示された「マージ撮像」の仮想ボタンは動画撮像トリガーボタンであり、ユーザーがボタンをクリックする操作が、ユーザーの動画撮像のトリガー操作である。動画再生インターフェイスでユーザーの動画撮像トリガー操作を受け取ると、動画撮像ウィンドウＡが動画再生インターフェイスＢに重ねて表示される。当該インターフェイスに表示された「撮像」の仮想ボタンは撮像トリガーボタンであり、ユーザーがボタンをクリックする操作は、ユーザーの動画撮像操作である。この操作を受け取った後、動画撮像ウィンドウＡを介してユーザー動画を撮像して、オリジナル動画に基づくユーザー動画を撮像する機能を実現する。
【００５１】
実際の応用では、動画再生インターフェイスの特定の形式と各ボタンの形式は実際のニーズに応じて配置され、上記の例は単なるオプションの実施形態であることに留意されたい。
【００５２】
本発明の実施形態では、動画撮像ウィンドウの形状は限定されず、円形、長方形、または他の形状を含め、実際のニーズに応じて配置することができる。
【００５３】
本発明の一実施形態では、当該方法は、さらに、動画撮像ウィンドウに対するユーザーによるウィンドウ移動操作を受け取ることと、ウィンドウ移動操作に応じて動画撮像ウィンドウを動画再生インターフェイスの上の対応する領域に調整することと、を含む。
【００５４】
ユーザーは、動画再生インターフェイス上の動画撮像ウィンドウの位置に対するさまざまなユーザーのニーズを満たすために、動画撮像ウィンドウの位置を調整できる。実際の応用では、動画撮像ウィンドウの位置は、次のユーザーのウィンドウ移動操作のいずれかによって調整できる。
【００５５】
第一種類のユーザーのウィンドウ移動操作は、以下のようである。ユーザーは、指などの操作体で動画撮像ウィンドウをドラッグして、動画撮像ウィンドウの位置を調整する。操作体が動画撮像ウィンドウに触れてドラッグすると、動画撮像ウィンドウの位置が調整されていることを示し、操作体が動画撮像ウィンドウから離れ、つまり動画撮像ウィンドウのドラッグを停止すると、ドラッグが停止したときに対応する位置が動画再生インターフェイスの上の動画撮像ウィンドウの対応する領域である。
【００５６】
第二種類のユーザーのウィンドウ移動操作は、以下のようである。ユーザーは、動画再生インターフェイスに表示される位置進行バーを介して動画撮像ウィンドウの位置を調整でき、位置進行バーにおける対応する位置は、動画再生インターフェイス上の撮像ウィンドウの位置を示す。ユーザーは、位置進行バーをスライドさせることにより、動画再生インターフェイスの上の動画撮像ウィンドウの対応する領域を決定できる。
【００５７】
本発明の実施形態では、ウィンドウ移動操作に応じて動画撮像インターフェースを動画再生インターフェースの上の対応する領域に調整することは、ウィンドウ移動操作に応じて、動画再生インターフェースに、予め配置され動画撮像ウィンドウの表示領域を制限するために使用されたウィンドウ調整境界線を表示することと、ウィンドウ移動操作とウィンドウ調整境界線に基づき、動画撮像ウィンドウの現在の表示領域を決定することと、現在の表示領域に応じて、動画撮像インターフェイスを動画再生インターフェイスの上の対応する位置に調整することと、を含む。
【００５８】
動画再生インターフェイスには、予め設定されたウィンドウ調整境界線があり、ウィンドウ整境界線は、動画再生インターフェイス上の動画撮像ウィンドウの表示領域を限定するために使用される。実際の応用では、ウィンドウ調整境界線は、さまざまな端末デバイスのディスプレイインターフェイスサイズに基づいて予め配置されるため、動画撮像ウィンドウで撮像された内容は、任意の端末デバイスのディスプレイインターフェイスに適切に表示できる。ウィンドウ調整境界線の配置に基づいて、ユーザーのウィンドウ移動操作を受け取ると、予め配置されたウィンドウ調整境界線が動画再生インターフェイスに同時に表示されるため、ユーザーが動画撮像ウィンドウを調整するための根拠がある。
【００５９】
実際の応用では、動画撮像ウィンドウが必要に応じて配置され、例えば、ウィンドウ調整境界線は、動画再生インターフェースの予め配置された位置のガイドラインであり、予め配置された位置は、動画再生インターフェースの頂部、底部、左側、および右側の少なくとも一つを含み得る。異なる位置のガイドラインは、動画再生インターフェイスにおける動画撮像ウィンドウの対応位置の調整範囲を限定する。
【００６０】
図３に示す動画再生インターフェースの模式図では、動画再生インターフェースの頂部および左側にある２本のガイド線が、ウィンドウ調整線（即ち、ウィンドウ調整境界線ａ、ｂ）とすることを例として説明する。ユーザーは、動画撮像ウィンドウｆをドラッグしてウィンドウ調整操作をトリガーでき、この操作を受け取ると、ウィンドウ調整境界線ａ、ｂが動画再生インターフェイスに表示され、ウィンドウ調整境界線ａとｂは互いに垂直な２本の線である。実際の応用では、ユーザーの識別を容易にするために、ウィンドウ調整境界線ａとｂを赤などの人目を引く色でマークしてもよいし、ウィンドウ調整境界線ａとｂをジグザグなどの異なる形状でマークしてもよい。この例では、ユーザーは動画撮像ウィンドウｆを位置Ａから位置Ｂにドラッグし、位置Ｂに基づいて、動画再生ウィンドウ上の動画撮像ウィンドウｆを位置Ｂに対応する位置に調整して、動画撮像ウィンドウを調整することができる。  
【００６１】
本発明の実施形態では、ウィンドウ移動操作とウィンドウ調整境界線に基づき、動画撮像ウィンドウの現在の表示領域を決定することは、ウィンドウ移動操作に基づき、動画撮像ウィンドウの第１の表示領域を決定することと、第１の表示領域と任意のウィンドウの調整境界線との間の距離が設定距離以上である場合、第１の表示領域が現在の表示領域であると判断することと、第１の表示領域と任意のウィンドウの調整境界線との間の距離が設定距離より小さい場合、第２の表示領域が現在の表示領域であると判断することと、を含む。第２の表示領域は、第１の表示領域をウィンドウ調整境界線に平行移動した後の領域であり、第２の表示領域の少なくとも１つの位置点はウィンドウ調整境界線と重なり合う。
【００６２】
動画撮像ウィンドウは、ウィンドウ調整境界線付近の表示領域など、ウィンドウ調整境界線で限定された調整範囲内で比較的良好な表示位置を持っている。ユーザーが動画ウィンドウを調整している時、動画再生インターフェイスの動画撮像ウィンドウの表示領域に要求があるユーザーを除き、ユーザーは比較的良い表示位置を正確に取得できないが、ユーザーは、調整中の動画撮像ウィンドウの表示領域とウィンドウ調整境界線の間の距離により、動画撮像ウィンドウを動画再生インターフェイス上の比較的適切な位置に調整することができる。
【００６３】
具体的には、動画撮像ウィンドウを調整している時、動画撮像ウィンドウの第１の表示領域と任意のウィンドウ調整境界線との距離が設定距離以上である場合、ユーザーが動画撮像ウィンドウを動画再生インターフェイスの非エッジ領域の表示位置に調整する希望があると示すため、第１の表示領域は、動画撮像ウィンドウがまもなく調整される領域、即ち、現在の表示領域とする。第１の表示領域と任意のウィンドウの調整境界線の間の距離が設定距離より小さい場合、ユーザーは動画撮像ウィンドウを動画再生インターフェイスのエッジ領域に調整してオリジナル動画再生インターフェイスを遮ることを最小限に抑える希望があると示す。このとき、現在の表示領域は、境界線上の第２の表示領域として決定できる。
【００６４】
実際の応用では、動画撮像ウィンドウが矩形で、ウィンドウ調整境界線が直線である場合、第１の表示領域は矩形となり、第１の表示領域をウィンドウ調整境界線に平行移動した後の領域は、第１の表示領域のいずれかの境界線とウィンドウ調整境界線との重なり合う所に対応する領域である。動画撮像ウィンドウが円形で、ウィンドウ調整境界線が直線である場合に、第１の表示領域は円形となり、第１の表示領域をいずれかのウィンドウ調整境界線に平行移動した後の領域は、第１の表示領域の少なくとも１つの位置点とウィンドウ調整境界線との重なり合う所に対応する領域である。調整境界線がある場合、撮像ウィンドウをどのように調整しても、撮像ウィンドウの表示領域が境界線を超えることはできないことがわかる。
【００６５】
本発明の実施形態では、動画撮像操作に応じて、ユーザーの動画を撮像し、動画撮像ウィンドウを介してユーザーの動画を表示することは、動画撮像操作に応じて、オリジナル動画が再生されている間にユーザーの動画を撮像し、当該ユーザーの動画を動画撮像ウィンドウを介して表示することを含む。
【００６６】
ユーザー動画の評論内容をオリジナル動画の内容に対応させるため、オリジナル動画の再生中にユーザー動画を同時に記録できる。つまり、動画撮像操作を受け取ると、ユーザー動画の撮像が開始され、オリジナル動画が同期して再生されるため、オリジナル動画の再生中にユーザー動画を同期記録する機能を実現でき、ユーザー動画の記録中に、ユーザーはオリジナル動画で再生された動画内容に基づいてユーザー動画に感想内容または評論内容を同期して記録でき、ユーザーのインタラクティブな体験がさらに向上する。
【００６７】
実際の応用では、オリジナル動画の動画再生インターフェイスを介してユーザー動画撮像操作を受け取る前にオリジナル動画が再生状態にある場合、オリジナル動画は自動的に一時停止され、又はユーザーがオリジナル動画を一時停止するため、ユーザー動画撮像操作を受け取るときに一時停止したオリジナル動画を再生し、ユーザー動画を撮像し、動画撮像ウィンドウでユーザー動画を表示できる。
【００６８】
本発明の実施形態では、上記の方法は、さらに、動画撮像ウィンドウに対するユーザーのウィンドウサイズ調整操作を受け取ることと、ウィンドウサイズ調整操作に応じて、動画撮像ウィンドウを対応する表示サイズに調整することと、を含む。
【００６９】
動画撮像ウィンドウのサイズは、予め配置されたデフォルト値に従って設定することもよいし、ユーザーの実際のニーズに基づいてユーザーが調整することもできる。実際の応用では、動画再生インターフェイスには、トリガーボタンや入力ボックス、ユーザーの音声コマンドの指定など、ウィンドウサイズの調整操作をトリガーするトリガーマークが含まれる。具体的に、ユーザーは、動画再生インターフェイスに表示される「ウィンドウ」の仮想ボタンによって、ウィンドウサイズの調整操作をトリガーして、動画撮像ウィンドウのサイズを調整できる。
【００７０】
本発明の実施形態では、上記の方法は、さらに、動画再生インターフェースを介して、添加待ち効果に対するユーザーによる効果添加操作を受け取ることと、効果添加操作に応じて、添加待ち効果をユーザーの動画に添加することと、を含む。
【００７１】
さまざまなユーザーの動画撮像ニーズを満たすために、効果をユーザー動画に添加する機能をユーザーに提供することも可能である。つまり、ユーザーの効果添加操作によって、選択された添加待ち効果をユーザー動画に添加することができる。添加待ち効果は、ユーザー動画撮像の前に添加してもよいし、ユーザー動画撮像中に添加してもよいし、ユーザー動画撮像の完成後に添加してもよい。本発明では、効果を添加するタイミングは限定されない。
【００７２】
実際の応用では、少なくとも次のいずれかの方法でユーザー動画に効果を添加する機能を実現する。
【００７３】
第一種類の方法は、以下のようである。動画再生インターフェイスに表示された「効果」の仮想ボタンを介して効果添加機能を実現できる。ユーザーがボタンをクリックする操作は、添加待ち効果に対するユーザーの効果添加操作であり、ボタンに対応する効果がユーザー動画に添加される。
【００７４】
第二種類の方法は、以下のようである。ユーザー動画をスライドする表示インターフェイスを介して効果を添加する。ユーザーは、指などの操作体を介してユーザー動画の表示インターフェイスで左右にスライドして、対応する効果をユーザー動画に添加できる。
【００７５】
本発明の実施形態では、上記の方法は、さらに、動画撮像操作に応じてユーザ動画を撮像し、動画撮像ウィンドウを介してユーザ動画を表示する前に、動画再生インターフェースを介して、高速記録モード、低速記録モード、および標準記録モードの少なくとも１つを含んでいるユーザー動画の記録モードに対するユーザーの記録選択操作を受け取ることと、記録選択操作に基づき、ユーザー動画の記録モードを決定することと、を含む。
【００７６】
異なるユーザーのニーズを満たすために、ユーザー動画を撮像する前に、ユーザー動画の記録方法を選択する機能をユーザーに提供し、つまり、ユーザーの記録選択操作によって、選択された記録方法に従ってユーザー動画を記録する。高速記録モードの記録速度、標準記録モードの記録速度、および低速記録モードの記録速度は順に遅くなる。異なる記録モードの選択により、可変速度でユーザー動画を記録する機能を実現でき、ユーザーのインタラクティブな体験がさらに向上する。
【００７７】
上記の高速記録方法、低速記録方法、および標準記録方法のうち、高速、低速、および標準は相対的であることが理解できる。異なる記録方法の記録速度は異なり、各記録方法の記録速度はニーズに基づいて決定できる。例えば、高速記録方式とは、記録速度が第一速度の記録方式を指し、低速記録方式とは、記録速度が第二速度の記録方式を指し、標準記録方式とは、記録速度が第三速度の記録方式を指する。第一速度は、第三速度より大きく、第三速度は、第二速度よりも大きくなる。
【００７８】
本発明の実施形態では、上記の方法は、さらに、ユーザー動画とオリジナル動画を合成させて、マージ動画を取得することを含む。
【００７９】
ユーザー動画とオリジナル動画の合成方法は、実際のニーズに応じて配置できる。ユーザー動画の撮像中にユーザー動画とオリジナル動画を合成させてもよいし、ユーザー動画の撮像後にユーザー動画とオリジナル動画を合成させてもよい。ユーザー動画とオリジナル動画を合成させて得られたマージ動画には、オリジナル動画の内容とユーザー動画の内容が含まれ、当該マージ動画を介して、オリジナル動画を見ながらユーザ動画を見ることができ、ユーザー動画がユーザーの反応動画である場合、マージ動画を見て、オリジナル動画に対するユーザーの反応や考えがわかる。
【００８０】
本発明の実施形態において、マージ動画の動画フレーム画像は、ユーザ動画の動画フレーム画像およびオリジナル動画の動画フレーム画像を含み、ユーザ動画の動画フレーム画像は、オリジナル動画の動画フレーム画像の上に表示される。
【００８１】
本発明の実施形態によって提供された動画生成方法では、オリジナル動画とユーザー動画を合成させてマージ動画を得るときに、ユーザー動画の動画フレーム画像と対応するオリジナル動画の動画フレーム画像を合成し、ユーザ動画の動画フレーム画像の対応するオーディオ情報と対応するオリジナル動画の対応する動画フレーム画像のオーディオ情報を合成し、当該合成により得られた動画フレーム画像と対応するオーディオ情報を合成させて合成動画を得る。動画フレーム画像と動画フレーム画像が合成される場合とは、対応する２つの動画フレーム画像が１つのフレーム画像に合成され、合成された１つのフレーム画像内のユーザー動画の動画フレーム画像がオリジナル動画の動画フレーム画像に配置される意味であってもよい。オリジナル動画とユーザー動画を合成させてマージ動画が得られた場合、ユーザー動画の動画フレーム画像のサイズは、オリジナル動画の動画フレーム画像のサイズよりも小さくなる。
【００８２】
一例として、ユーザー動画の長さは１０秒で、オリジナル動画の長さも１０秒である。ユーザー動画の動画フレーム画像とその対応するオリジナル動画の動画フレーム画像を合成すると、ユーザー動画の第１秒の動画フレーム画像とオリジナル動画の第１秒の動画フレーム画像を合成させて得された動画フレーム画像は、その対応するマージ動画の第１秒の動画フレーム画像になる。上記の合成方法と同じように、ユーザー動画の各フレームの動画フレーム画像とその対応するオリジナル動画の各フレームの動画フレーム画像を合成させてマージ動画が得られた。
【００８３】
一例として、図４は、１フレームのユーザ動画の動画フレーム画像と１フレームのオリジナル動画の動画フレーム画像を合成させることにより得られる１フレームの合成動画の動画フレーム画像の模式図を示す。図に示すように、画像ａはオリジナル動画の動画フレーム画像の一部であり、画像ｂはユーザー動画の動画フレーム画像の一部であり、画像ａと画像ｂが合成された後の図に示す画像は合成した動画フレーム画像である。
【００８４】
本発明の実施形態では、上記の方法は、さらに、動画再生インターフェイスを介してユーザーの音量調整操作を受け取ることと、音量調整操作に応じて、ユーザー動画の音声情報及び／又はオリジナル動画の音声情報の音量を相応的に調整することと、を含む。
【００８５】
ユーザーのインタラクティブな体験をさらに向上させるために、オリジナル動画及び／又はユーザー動画の音量を調整して、さまざまなユーザーの動画再生ニーズを満たすことができる。実際の応用では、ユーザーがオリジナル動画およびユーザー動画の音量を調整する必要がなければ、撮像されたユーザー動画の音量は、例えば、オリジナル動画の音量と一致する音量、またはプリセット音量など、予め設定された音量になってもよい。
【００８６】
実際の応用では、動画再生インターフェイスの音量調整仮想ボタンを使用して音量を調整できる。音量調整仮想ボタンは、オリジナル動画及びユーザー動画の音量調整に対応して音量調整プログレスバーａおよび音量調整プログレスバーｂの２つの音量調整プログレスバーを配置してもよい。音量調整プログレスバーａによってオリジナル動画の音量が調整され、音量調整プログレスバーｂによってユーザー動画の音量が調整される。また、異なる音量調整プログレスバーは、異なるマークで区別できる。
【００８７】
一例として、図５Ａには音量調整方法の模式図が示されている。ユーザーは、音量調整プログレスバーをスライドすることで音量を調整でき、インターフェイスの上方（つまり、「＋」マークの方向）にスライドすると、音量を上げて、インターフェイスの下方（つまり、「−」マークの方向）にスライドすると、音量を下げて調整することを示す。実際のニーズに応じて、音量調整プログレスバーを水平方向に設定することもでき、つまり、図５Ｂに示す音量調整方法の他の模式図に示すように、インターフェイスの左側（つまり、「−」マークの方向）にスライドすると、音量を下げて、インターフェイスの右側（つまり、「＋」マークの方向）にスライドすると、音量を上げて調整することを示す。
【００８８】
実際の応用では、音量調整インターフェースと動画再生インターフェースは同じディスプレイインターフェースでもよいし、異なるディスプレイインターフェースでもよいことに留意されたい。異なるディスプレイインターフェイスの場合、ユーザーの音量調整操作が動画再生インターフェイスを介して受け取られると、音量調整インターフェイスを表示でき、このインターフェイスを介して音量調整を実行できる。動画の記録と再生に影響を与えないように、音量調整インターフェイスは、動画再生インターフェイスに表示されるエッジ位置など、動画再生インターフェイスに重ねて表示されてもよい。
【００８９】
本発明の実施形態では、上記の方法は、さらに、操作提示オプションがユーザーに提供され、操作提示オプションがユーザーの操作を受け取ったときに、マージ動画に対する撮像操作の提示情報をユーザーに提供するために使用されることを含む。
【００９０】
ユーザーがマージ撮像機能を使用する場合、つまり、オリジナル動画に基づいてユーザー動画を撮像してマージ動画を取得する場合、マージ撮像機能を実現する方法は明確ではない時に、提示操作項目を介してユーザーに提示してもよい。実際の応用では、「助け」仮想ボタンを介して動画再生インターフェイスに提示操作項目を表示してもよい。ユーザーは、ボタンをクリックすることで対応する提示情報を取得できる。提示情報は、操作プレビューの形式でユーザーに表示してもよいし、テキストで操作方法をユーザーに提示してもよい。本発明は、提示情報の表示形式に限定されない。
【００９１】
本発明の実施形態において、マージ動画を取得するためにユーザ動画とオリジナル動画を合成するには、ユーザー動画のオーディオ情報とオリジナル動画のオーディオ情報を合成させて、マージ動画のオーディオ情報を取得し、ユーザー動画の動画情報とオリジナル動画の動画情報を合成させて、マージ動画の動画情報を取得し、マージ動画のオーディオ情報とマージ動画の動画情報を合成させて、マージ動画を取得することが含まれ得る。
【００９２】
動画には、動画情報とオーディオ情報の両方が含まれており、ユーザー動画とオリジナル動画を合成している時、それぞれの動画情報とオーディオ情報を別々に合成し、最終的に合成した動画情報とオーディオ情報を合成させてマージ動画を取得した。上記の合成方法により、情報処理を容易にする。
【００９３】
本発明の実施形態では、この方法は、ユーザ動画とオリジナル動画を合成させてマージ動画を取得した後、ユーザーの動画保存操作及び／又は動画公開操作を受け取ることと、動画保存操作に応じてマージ動画がローカルに保存され、及び／又は、動画リリース操作に応じてマージ動画を公開することと、を含む。
【００９４】
マージ動画を取得した後、ユーザーにマージ動画を公開及び／又は保存する機能を提供できる。つまり、マージ動画の共有を実現するために、ユーザーの動画公開操作を通じてマージ動画が指定された動画プラットフォームに公開される。または、ユーザーが視聴できるように、ユーザーの動画保存操作を通じてマージ動画をローカルに保存する。実際の応用では、マージ動画を取得した後、動画公開インターフェイスにジャンプして、動画公開インターフェイスを介してユーザーの動画公開操作を受け取ってよいし、動画再生インターフェイスを介してユーザーの動画公開操作を直接受け取ってもよい。動画公開操作は、ユーザーが「公開」の仮想ボタンをクリックして取得されてもよい。
【００９５】
本発明の実施形態では、動画公開操作に応じてマージ動画を公開することは、動画公開操作に応じて、ユーザーのマージ動画の視聴権限を取得することと、マージ動画視聴権限に従ってマージ動画を公開することと、を含む。
【００９６】
マージ動画に対するユーザーのプライバシーニーズを満たすために、マージ動画の視聴権限を設定する機能をユーザーに提供する。つまり、ユーザーの動画公開操作を通してユーザーのマージ動画の視聴権限を取得し、マージ動画の視聴権限に従ってマージ動画を公開する。マージ動画の視聴権限を通して、マージ動画は、マージ動画の視聴権限に対応するユーザーのみが視聴でき、マージ動画の視聴権限内に存在いないユーザーはマージ動画が視聴できない。実際の応用では、マージ動画の視聴権限を予め設定することができる。公開する必要があるマージ動画がいずれもマージ動画の視聴権限を設定することができる。マージ動画の視聴権限は、現在のマージ動画の公開時に設定することもできる。それに対応して、現在のマージ動画は、設定されたプライバシー権に従って公開される。
【００９７】
マージ動画の視聴権限には、任何人、友人、自分だけの少なくとも一つが含まれる。任何人とは、マージ動画を誰でも見えるという意味である。友人とは、マージ動画をユーザーの友人だけが見えるという意味である。自分だけとは、マージ動画をユーザー自分が見えるという意味である。
【００９８】
本発明の実施形態では、当該方法は、さらに、マージ動画のプッシュ情報を生成することと、プッシュ情報をユーザーの関連ユーザー、及び／又はオリジナル動画の関連ユーザーに送信することと、を含む。
【００９９】
マージ動画に関連する人に通知するために、マージ動画を公開するときに、マージ動画のプッシュ情報を生成でき、当該プッシュ情報を通じてユーザーの関連ユーザー及び／又はオリジナル動画の関連ユーザーにマージ動画の公開をタイムリーに知らせる。ユーザーの関連ユーザーとは、ユーザーと関連付けられた関係を持つユーザーである。関連付けられた関係の範囲は、必要に応じて構成できる。オリジナル動画の関連ユーザーおよびオリジナル動画の発行元は、例えば、オリジナル動画の発行元とオリジナル動画にかかわる人が含まれるが、これらに限定されない。例えば、オリジナル動画は一度合成されたマージ動画であり、オリジナル動画の公開者はユーザーａになり、オリジナル動画の合成前に、対応する最初のオリジナル動画の作成者はユーザーｂになると、オリジナル動画の関連ユーザーにはユーザーａとユーザーｂが含まれる。
【０１００】
実際の応用では、マージ動画を公開するときに、マージ動画のタイトルに関連する注意情報を添加してマージ動画の公開をどちらユーザーに知らせる期待を示し、アットマーク（＠）特定のユーザーの形式でプッシュ情報の受取者を反映させることができる。
【０１０１】
一例として、ユーザーａがユーザーｂをフォローし、ユーザーａがマージ動画を公開し、ユーザーａがユーザーｂに関連付けられ、つまり、ユーザーａがユーザーｂにアットマークした。ユーザーａがユーザーｂにアットマークしたことがマージ動画のタイトルに表示でき、マージ動画のプッシュ情報がユーザーｂに送信されるため、ユーザーｂは、ユーザーａが動画を公開したことを認識する。
【０１０２】
他の例では、ユーザーａはユーザーｂをフォローしても、ユーザーａはマージ動画を公開したが、ユーザーａはユーザーｂにアットマークいないため、ユーザーｂはマージ動画のプッシュ情報を受け取ることができない。
【０１０３】
他の例では、ユーザーａはユーザーｂをフォローせず、ユーザーａはマージ動画を公開したが、ユーザーａはマージ動画を公開した時にユーザーｂにアットマークしたため、ユーザーｂはマージ動画のプッシュ情報を受け取ることができる。
【０１０４】
本発明の実施形態では、ユーザ動画の継続時間がオリジナル動画の継続よりも短い場合、ユーザ動画とオリジナル動画を合成させて取得されたマージ動画は、ユーザー動画の記録開始時間に従って、オリジナル動画の記録開始時間に対応する、ユーザー動画の継続時間と一致する第１の動画を決定することと、ユーザー動画と第１の動画を合成させることで第２の動画を合成することと、第２の動画およびオリジナル動画の第１の動画以外の動画に従ってマージ動画を取得することと、を含む。
【０１０５】
オリジナル動画の再生内容に基づいて、ユーザーが記録したユーザー動画の継続時間は、オリジナル動画の継続時間と一致してもよいし、一致しなくてもよい。オリジナル動画の内容に基づいて、ユーザーはユーザー動画の記録開始時間を選択できるため、マージ動画が再生する時、ユーザー動画の内容はオリジナル動画の内容に対応して、ユーザーのインタラクティブな体験をさらに向上させる。
【０１０６】
本発明の実施形態では、この方法は、さらに、動画再生インターフェース内の対応する機能の仮想ボタンを非表示にすることを含む。
【０１０７】
実際の応用では、さまざまな機能を表す仮想マーク、例えば、撮像の開始を示す仮想ボタンａ、撮像の進行を示すプログレスバーｂ、効果の添加を示す仮想ボタンｃ、マージ動画の公開を示す仮想ボタンｄなどを動画再生インターフェイスに表示できる。例えば、図６Ａおよび６Ｂに示す動画再生インターフェースの模式図である。ユーザーのインタラクティブな体験をさらに向上させるために、図６Ａの動画再生インターフェイスの仮想ボタンａおよびプログレスバーｂを除く他の仮想マークを非表示にして、例えば、仮想ボタンｃおよびｄを非表示にする。非表示したインターフェイスは、図６Ｂに示すように、仮想マークを非表示にすることで動画再生インターフェイスを簡潔にする。
【０１０８】
実際の応用では、機能ボタンを非表示にする仮想ボタンをインターフェイスで設定することもでき、このボタンを通して、ある機能ボタンを非表示または表示復元に設定することができる。具体的に、当該ボタンに対するユーザーの操作を受け取ると、ユーザーはボタンを介してどちら仮想ボタンを非表示に選択してもよいし、又は、以前に非表示にした仮想ボタンを復元することを選択してもよい。
【０１０９】
図１に示された方法と同じ原理に基づいて、本発明の実施形態は、動画撮像装置２０をさらに提供する。図７に示すように、動画撮像装置２０は、オリジナル動画の動画再生インターフェイスを介して、ユーザー動画撮像トリガー操作を受け取るためのトリガー操作受取モジュール２１０と、動画撮像トリガー操作に応じて、動画撮像ウィンドウを動画再生インターフェイスに重ねて表示するための撮像ウィンドウ表示モジュール２２０と、動画再生インターフェースを介してユーザー動画撮像操作を受け取るための撮像操作受取モジュール２３０と、動画撮像操作に応じて、ユーザー動画を撮像し、動画撮像ウィンドウを介してユーザー動画を表示すためのユーザー動画撮像モジュール２４０と、を備える。
【０１１０】
本発明の実施形態では、上記の装置は、さらに、動画撮像ウィンドウに対するユーザーによるウィンドウ移動操作を受け取り、ウィンドウ移動操作に応じて動画撮像ウィンドウを動画再生インターフェイスの上の対応する領域に調整するウィンドウ位置調整モジュールを備える。
【０１１１】
本発明の実施形態では、ウィンドウ位置調整モジュールは、ウィンドウ移動操作に応じて、動画再生インターフェースに、予め配置された、動画撮像ウィンドウの表示領域を制限するために使用されたウィンドウ調整境界線を表示し、ウィンドウ移動操作とウィンドウ調整境界線に基づき、動画撮像ウィンドウの現在の表示領域を決定し、現在の表示領域に応じて、動画撮像インターフェイスを動画再生インターフェイスの上の対応する位置に調整するように構成されてもよい。
【０１１２】
本発明の実施形態では、ウィンドウ位置調整モジュールは、ウィンドウ移動操作に基づき、動画撮像ウィンドウの第１の表示領域を決定し、第１の表示領域と任意のウィンドウの調整境界線との間の距離が設定距離以上である場合、第１の表示領域が現在の表示領域であると判断し、第１の表示領域と任意のウィンドウの調整境界線との間の距離が設定距離より小さい場合、第２の表示領域が現在の表示領域であると判断するのように構成されてもよい。当該第２の表示領域が、第１の表示領域をウィンドウ調整境界線に平行移動した後の領域であり、第２の表示領域の少なくとも１つの位置点はウィンドウ調整境界線と重なり合う。
【０１１３】
本発明の実施形態では、ユーザ動画撮像モジュール２４０は、動画撮像操作に応じて、オリジナル動画が再生されている間にユーザー動画を撮像し、当該ユーザー動画を動画撮像ウィンドウを介して表示するように構成されてもよい。
【０１１４】
本発明の実施形態では、上記の装置は、さらに、動画撮像ウィンドウに対するユーザーのウィンドウサイズ調整操作を受け取り、ウィンドウサイズ調整操作に応じて、動画撮像ウィンドウが対応する表示サイズに調整するためのウィンドウサイズ調整モジューを備える。
【０１１５】
本発明の実施形態では、上記の装置は、さらに、動画再生インターフェースを介して、添加待ち効果に対するユーザーによる効果添加操作を受け取り、効果添加操作に応じて、添加待ち効果をユーザー動画に添加する効果添加モジュールを備える。
【０１１６】
本発明の実施形態では、ユーザ動画撮像モジュール２４０は、さらに、動画撮像操作に応じてユーザ動画を撮像し、動画撮像ウィンドウを介してユーザ動画を表示する前に、動画再生インターフェースを介して、高速記録モード、低速記録モード、および標準記録モードの少なくとも１つを含んでいるユーザー動画の記録モードに対するユーザーの記録選択操作を受け取り、記録選択操作に基づき、ユーザー動画の記録モードを決定するように構成されてもよい。
【０１１７】
本発明の実施形態では、上記の装置は、さらに、ユーザー動画とオリジナル動画を合成させて、マージ動画を取得するためのマージ動画生成モジュールを備える。
【０１１８】
本発明の実施形態では、上記の装置は、さらに、動画再生インターフェイスを介してユーザーの音量調整操作を受け取り、音量調整操作に応じて、ユーザー動画の音声情報及び／又はオリジナル動画の音声情報の音量を相応的に調整するための音量調整モジュールを備える。
【０１１９】
本発明の実施形態では、上記の装置は、さらに、操作提示オプションがユーザーに提供し、当該操作提示オプションがユーザーの操作を受け取ったときに、マージ動画に対する撮像操作の提示情報をユーザーに提供するための操作提示モジュールを備える。
【０１２０】
本発明の実施形態による動画撮像装置は、本発明の実施形態に提供される動画撮像方法を実行することができ、実現原理は同様である。本発明の実施形態における動画撮像装置の各モジュールによって実行される動作は、本発明の実施形態における動画撮像方法のステップに対応する。動画撮像装置の各モジュールの詳細な機能説明については、前述の対応する動画撮像方法の説明を参照することができ、ここでは繰り返さない。
【０１２１】
本発明の実施形態における動画撮像方法と同じ原理に基づいて、本発明は、コンピューターの操作指令を格納するメモリと、コンピュータ操作指令を呼び出し本発明の動画撮像方法の任意の実施形態に示される方法を実行するプロセッサと、を含む電子機器を提供する。
【０１２２】
本発明の実施形態における動画撮像方法と同じ原理に基づいて、本発明は、少なくとも１つのオペレーション、少なくとも１つのプログラム、コードセットまたはオペレーションセットを格納し、少なくとも１つのオペレーション、少なくとも１つのプログラム、コードセットまたはオペレーションセットがコンピューターによってロードされ実行されて、本発明の動画撮像方法のいずれかで示される方法を実現するコンピューター読取可能な記憶媒体を提供する。
【０１２３】
一例として、図８は、本発明の実施形態を実施するのに適した電子機器８００（例えば、図１に示す方法を実施する端末装置またはサーバー）の模式構造図を示している。本発明の実施形態における電子機器は、携帯電話、ノートブックコンピュータ、デジタル放送受取機、ＰＤＡ（携帯情報端末）、ＰＡＤ（タブレットコンピュータ）、ＰＭＰ（ポータブルマルチメディアプレーヤー）、車載端末（例えば、カーナビゲーション端末）など携帯端末、およびデジタルＴＶ、デスクトップコンピューターなどのモバイル端末を含んでいるが、これに限定されない。図８に示す電子機器は一例に過ぎず、本発明の実施形態の機能および使用範囲について制限がないである。
【０１２４】
図８に示すように、電子機器８００は、処理装置（例えば、中央処理装置、グラフィックプロセッサなど）８０１を含む。当該処理装置８０１は、リードオンリーメモリ（ＲＯＭ）８０２に記憶されたプログラム、またはストレージ装置８０８からランダムストレージ（ＲＡＭ）８０３にロードされたプログラムに従って様々な適切なアクションおよびプロセスを実行する。ＲＡＭ８０３には、電子機器８００の動作に必要な各種プログラムやデータも記憶されている。処理装置８０１、ＲＯＭ８０２、およびＲＡＭ８０３は、バス８０４を介して相互に接続されている。入力／出力（Ｉ  ／  Ｏ）インターフェース８０５もバス８０４に接続されている。
【０１２５】
一般的に、次の装置がＩ／Ｏインターフェイス８０５に接続される。当該装置は、タッチスクリーン、タッチパッド、キーボード、マウス、カメラ、マイク、加速度計、ジャイロスコープなどの入力装置８０６など、液晶ディスプレイ（ＬＣＤ）、スピーカー、振動器などの出力装置８０７、磁気テープやハードディスクなどの記憶装置８０８、及び通信装置８０９を含む。通信装置８０９は、電子機器８００が他の装置と無線または有線通信を行ってデータを交換することができる。図８は、様々な装置を有する電子機器８００を示しているが、示されているすべての装置を実行または備える必要はないことを理解されたい。代わりに、より多くまたはより少ない装置を実行するまたは備える。
【０１２６】
特に、本発明の実施形態によれば、上記の参照フローチャートで説明されたプロセスは、コンピュータソフトウェアプログラムとして実現され得る。例えば、本発明の実施形態は、コンピュータ読取可能な媒体にロードされたコンピュータプログラムを含むコンピュータプログラム製品を備え、コンピュータプログラムは、フローチャートに示される方法を実行するためのプログラムコードを含む。そのような実施形態では、コンピュータプログラムは、通信装置８０９を介してネットワークからダウンロードおよびインストールされてもよいし、記憶装置８０８からインストールされてもよいし、ＲＯＭ８０２からインストールされてもよい。コンピュータプログラムが処理装置８０１によって実行されると、本発明の実施形態の方法において定義された上記の機能が実行される。
【０１２７】
本発明の上記コンピュータ読取可能な媒体は、コンピュータ読取可能な信号媒体またはコンピューター読取可能な記憶媒体またはこれら２つの任意の組み合わせであり得ることに留意されたい。コンピューター読取可能な記憶媒体は、例えば、電子、磁気、光学、電磁、赤外線、または半導体のシステム、装置、または素子、またはそれらの任意の組み合わせであり得るが、これらに限定されない。コンピュータで読取可能な記憶媒体のより具体的な例には、１つまたは複数のワイヤ、ポータブルコンピュータディスク、ハードディスク、ランダムアクセスメモリ（ＲＡＭ）、リードオンリーメモリ（ＲＯＭ）、消去可能プログラム可能リードオンリーメモリ（ＥＰＲＯＭまたはフラッシュメモリ）、光ファイバー、ポータブルコンパクトディスク読み取り専用メモリ（ＣＤ−ＲＯＭ）、光学式記憶装置、磁気記憶装置、または上記の適切な組み合わせが含まれるが、これらに限定されていない。本発明では、コンピューター読取可能な記憶媒体は、指令実行システム、装置、または素子によって、またはそれらと組み合わせて使用できるプログラムを含むまたは記憶する任意の有形の媒体であり得る。本発明において、コンピュータ読取可能な信号媒体は、ベースバンドまたは搬送波の一部として伝播されるデータ信号を含み、それに、コンピュータ読取可能なプログラムコードをロードした。そのような伝播されたデータ信号は、多くの形態を採用し、電磁信号、光信号、または上記の任意の適切な組み合わせを含むが、これらに限定されていない。コンピュータ読取可能な信号媒体は、コンピューター読取可能な記憶媒体以外の任意のコンピュータ読取可能な媒体であってもよく、コンピュータ読取可能な信号媒体は、指令実行システム、装置、または素子に使用またはそれらに結合して使用されたプログラムを送信、伝播、または送信してもよい。コンピュータ読取可能な媒体で実施されるプログラムコードは、電線、光ケーブル、ＲＦ（無線周波数）など、またはこれらの任意の適切な組み合わせを含むが、これらに限定されない適切な媒体で送信され得る。
【０１２８】
上記のコンピュータ読取可能な媒体は、上記の電子機器に含まれていてもよいし、電子機器に組み込まれずに単独で存在してもよい。
【０１２９】
上記のコンピュータ読取可能な媒体は、１つ以上のプログラムをロードし、１つ以上のプログラムが電子機器によって実行されると、電子機器は、少なくとも２つのインターネットプロトコルアドレスを取得し、ノード評価装置に少なくとも２つのインターネットを含むノード評価要求を送信し、ノード評価装置によって返されたインターネットプロトコルアドレスを受け取る。ノード評価装置が少なくとも２つのインターネットプロトコルアドレスからインターネットプロトコルアドレスを選択し、それを返す。取得されたインターネットプロトコルアドレスは、内容配信ネットワークのエッジノードを指示する。
【０１３０】
あるいは、コンピュータ読取可能な媒体は１つまたは複数のプログラムをロードし、１つまたは複数のプログラムが電子機器によって実行されると、電子機器は、少なくとも２つのインターネットプロトコルアドレスを含むノード評価要求を受け取り、少なくとも２つのインターネットプロトコルアドレスの中から、インターネットプロトコルアドレスを選択し、選択されたインターネットプロトコルアドレスに返される。受け取られたインターネットプロトコルアドレスは、内容配信ネットワークのエッジノードを指示する。
【０１３１】
本発明の動作を実行するためのコンピュータプログラムコードは、Ｊａｖａ、Ｓｍａｌｌｔａｌｋ、Ｃ＋＋などの対象指向のプログラミング言語を含む１つまたは複数のプログラミング言語、「Ｃ」または同様のプログラミング言語などの通常の手続き型プログラミング言語、またはそれらの組み合わせで書くことができる。プログラムコードは、完全にユーザーのコンピューター上で実行してもよく、一部はユーザーのコンピューター上で実行してもよく、独立したソフトウェアパッケージとして実行してもよく、一部はユーザーのコンピューター上で一部はリモートコンピューター上で実行してもよく、または完全にリモートコンピューターまたはサーバー上で実行してもよい。リモートコンピューターの場合、リモートコンピューターは、ローカルエリアネットワーク（ＬＡＮ）またはワイドエリアネットワーク（ＷＡＮ）などの任意の種類のネットワークを介してユーザーのコンピューターに接続でき、または、外部コンピューター（たとえば、インターネットサービスプロバイダーによりインターネット経由で接続する）に接続されてもよい。
【０１３２】
図中のフローチャートおよびブロック図は、本発明の様々な実施形態によるシステム、方法、およびコンピュータプログラム製品の可能な実現のアーキテクチャ、機能、および動作を示している。これに関して、フローチャートまたはブロック図の各ブロックは、指定された論理機能を実現するための１つ以上の機能を含むモジュール、プログラムセグメント、またはコードの一部を表する。また、いくつかの代替の実現では、ブロックに記載されている機能は、図面にマークされている機能とは異なる順で発生する可能性があることにも注意する。例えば、連続して表される２つのブロックは、関連する機能によって、実際には基本的に並行して実行される場合があり、逆の順で実行される場合もある。また、ブロック図及び／又はフローチャートの各ブロック、およびブロック図及び／又はフローチャートのブロックの組み合わせは、指定された機能または操作を実行する専用のハードウェアをベースにしたシステムによって実現してもよいし、専用のハードウェアとコンピューターの指令を組み合わせて実現してもよいことに注意する。
【０１３３】
上記の説明は、本発明の好ましい実施形態および適用された技術原理の説明にすぎない。当業者は、本発明に含まれる開示の範囲は、上記の技術的特徴の特定の組み合わせる技術案に限定されず、上記の主旨から逸脱することなく、上記の技術的特徴またはそれと同等な特徴を任意に組み合わせることにより形成されるその他の技術案も含む。例えば、上記の特徴を同様の機能を有する本発明に開示される技術的特徴（ただし、これに限定されない）に置き換えることにより形成される技術案も含む。
【図１】
2021520764.tif 000003
【図２】
2021520764.tif 000004
【図３】
2021520764.tif 000005
【図４】
2021520764.tif 000006
【図５Ａ】
2021520764.tif 000007
【図５Ｂ】
2021520764.tif 000008
【図６Ａ】
2021520764.tif 000009
【図６Ｂ】
2021520764.tif 000010
【図７】
2021520764.tif 000011
【図８】
2021520764.tif 000012
【国際調査報告】
2021520764.tif 000013
2021520764.tif 000014
2021520764.tif 000015
2021520764.tif 000016
2021520764.tif 000017